(57)【要約】      （修正有）【課題】一定の密度を有する液体を袋体で包み込み、精度に影響する漏洩を防止することができる、圧力計構造を提供する。【解決手段】圧力計構造は、中空ハウジング１と、上向き送出装置２と、表示ユニット３とを備え、中空ハウジングは、弓状枠体１１の下方に、弓状枠体との間に薄膜１３が結合されている支持枠１２が組み立てられ、薄膜下から所定距離離れた位置に仕切板２１が設けられ、かつ仕切板の底部にリフトピン２２が当接している。また支持枠の底部にねじスタッド２３が螺設されると共に、リフトピンをその間に移動自在にさせ、薄膜と仕切板との間には袋体４が設けられ、袋体内に一定の密度を有する液体が装填され、リフトピンの一端に凸縁２２１が設けられている。圧力を測定してリフトピンを押送させる時に、凸縁がねじスタッド内に当接して、リフトピンの暴走現象を回避できる。また圧搾された液体は袋体で保護されるので、漏洩を回避できる。【選択図】図１
0003200465.tif 000002
【実用新案登録請求の範囲】
【請求項１】
中空ハウジングと、上向き送出装置と、表示ユニットとを備える圧力計構造であって、
前記中空ハウジングは、弓状枠体の下方に支持枠が組み立てられると共に、前記弓状枠体と前記支持枠との間に薄膜が結合されており、
前記上向き送出装置は、仕切板の底部にリフトピンが当接しており、ねじスタッド内に前記リフトピンが貫設され、前記仕切板が前記薄膜下から所定距離離れた位置に設けられることで、その間に空間が形成され、前記ねじスタッドが前記支持枠の底部に組み立てられ、
前記表示ユニットは、前記薄膜上に組み立てられ、
前記薄膜と前記仕切板との間に袋体が設けられており、かつ前記袋体内に一定の密度を有する液体が装填されており、前記仕切板の底部に設けられている前記リフトピンの一端に凸縁が設けられることを特徴とする圧力計構造。
【請求項２】
前記液体が液圧油であることを特徴とする、請求項１に記載の圧力計構造。
【請求項３】
前記凸縁と前記ねじスタッドとの間に密封リングが設けられていることを特徴とする、請求項１に記載の圧力計構造。
【請求項４】
前記薄膜と前記仕切板との間に一定の密度を有する固体状体が設けられていることを特徴とする、請求項１に記載の圧力計構造。
【考案の詳細な説明】
【技術分野】
【０００１】
本考案は、圧力計構造に係り、特に、測定過程において高圧圧力による暴走及び液体漏洩を回避するために用いられる圧力計に関する。
【背景技術】
【０００２】
一般に、市場に流通している圧力計構造は、通常、気体または液体圧力値を測定するために用いられ、これによって生産中の圧力の重要なパラメータが得られる。
【０００３】
図５に示すように、前記圧力計は、中空シリンダベース２０と、ピストンユニット３０と、表示ユニット４０とを備える。前記中空シリンダベース２０は、上述した被測定物１０に取り付けられ、かつ中空の狭筒段２０１と、前記狭筒段２０１の上方から外向きに拡大延伸し、かつ横断面が前記狭筒段２０１より大きい広筒段２０２とを備え、前記狭筒段２０１は、前記広筒段２０２から遠く離れ、かつ被測定物１０と連通する入り口を有し、前記広筒段２０２は、前記狭筒段２０１から遠く離れる連通口を有する。前記ピストンユニット３０は、前記広筒段２０２内に浮動的に取り付けられるピストン３０１と、前記広筒段２０２と前記狭筒段２０１との間に軸方向に移動自在に取り付けられる推進棒３０２とを備え、前記推進棒３０２は、前記狭筒段２０１内に液密に下向きに挿入される液推進端３０２１と、前記広筒段２０２に上向きに突き込み、かつ前記ピストン３０１を押し出すことが可能なプランジャ端３０２２とを有し、前記ピストン３０１と前記推進棒３０２の設置により、前記中空シリンダベース２０内に、推進棒３０２の下方に位置し、かつ液体を装填する高液圧空間２０３と、前記狭筒段２０１の上方と前記ピストン３０１の下方との間に位置し、かつ空気を装填する区分空間２０４と、前記ピストン３０１の上方に位置し、かつ前記液体を装填する低液圧空間２０５とに区画される。
【０００４】
上述した従来の圧力計装置の技術では、隔膜受圧分野に備える基本機能の要求に応えるけれども、使用時、ピストン棒の高圧による暴走を防止することができない欠点と不足点が存在している。この場合では、従来の技術により生み出した具体的な産業効果を発揮することができない。
【考案の概要】
【考案が解決しようとする課題】
【０００５】
本考案の主要な目的は、一定の密度を有する液体を袋体で包み込むように実施して、漏洩を防止する目的が達成できる、圧力計構造を提供することにある。
【０００６】
本考案の副次的な目的は、リフトピンに凸縁が設けられることにより、ねじスタッド内に当接するように実施して、暴走を防止する目的が達成できる、圧力計構造を提供することにある。
【課題を解決するための手段】
【０００７】
本願では、上記目的を達成するための具体的な技術手段として次のような考案を採用している。
【０００８】
漏洩、暴走を防止する目的を達成するため、本考案に係る圧力計構造は、中空ハウジング、上向き送出装置及び表示ユニットなどの構造から構成され、前記中空ハウジングは、弓状枠体の下方に、前記弓状枠体との間に薄膜が結合されている支持枠が組み立てられ、前記薄膜下から所定距離離れた位置に前記上向き送出装置の仕切板が設けられ、かつ前記仕切板の底部に前記リフトピンが当接しており、また前記支持枠の底部に前記ねじスタッドが螺設されていると共に、前記リフトピンをその間に移動自在にさせ、その特徴は、前記薄膜と前記仕切板との間に袋体が設けられており、かつ前記袋体内に一定の密度を有する前記液体が装填されており、前記リフトピンの一端に前記凸縁が設けられることにある。
【図面の簡単な説明】
【０００９】
【図１】本考案の全体構造を示す側面断面図である。
【図２】本考案の全体構造を示す側面断面作動図である。
【図３】本考案の別の実施の全体構造を示す側面断面図である。
【図４】本考案の別の実施の全体構造を示す側面断面作動図である。
【図５】従来の全体構造を示す側面断面図である。
【考案を実施するための形態】
【００１０】
図１に示すように、本考案に係る圧力計構造は、中空ハウジング１と、上向き送出装置２と、表示ユニット３とを備える。前記中空ハウジング１は、弓状枠体１１の下方に支持枠１２が組み立てられると共に、前記弓状枠体１１と前記支持枠１２との間に薄膜１３が結合されている。前記上向き送出装置２は、仕切板２１の底部にリフトピン２２が当接しており、ねじスタッド２３内に前記リフトピン２２が貫設され、前記仕切板２１が前記薄膜１３下から所定距離離れた位置に設けられることで、その間に空間が形成され、前記ねじスタッド２３が前記支持枠１２の底部に組み立てられる。前記表示ユニット３は、前記薄膜１３上に組み立てられる。その特徴は、前記薄膜１３と前記仕切板２１との間に袋体４が設けられており、かつ前記袋体４内に一定の密度を有する液体５が装填されており、前記リフトピン２２の一端に凸縁２２１が設けられ、前記ねじスタッド２３内に当接できることにある。
【００１１】
最適な実施形態として、前記液体５が液圧油である。
【００１２】
前記凸縁２２１と前記ねじスタッド２３との間に密封リング２３１が設けられている。
【００１３】
前記薄膜１３と前記仕切板２１との間に一定の密度を有する固体状体６（なお図３参照）が設けられていてもよい。
【００１４】
図２に示すように、実施の場合、被測定の圧力源を前記ねじスタッド２３上に接続し、圧力源を前記ねじスタッド２３内に入力すると共に、前記リフトピン２２を押送させ、前記リフトピン２２により前記仕切板２１を推し進め、そして前記袋体４及びその袋内の前記液体５で、転換した圧力値を伝達して前記薄膜１３を押送させ、前記表示ユニット３は、測定した圧力を標定でき、また上述した作動原理は、公式Ｆ＝Ｐ×Ａに従うのは、従来の通用技術に属するため、ここでの説明は省略される。圧力源を迅速に高圧で前記ねじスタッド２３に入力する時に、前記リフトピン２２は、迅速に連動して上向きに持上げされ、そして前記リフトピン２２の前記凸縁２２１は、前記ねじスタッド２３内に当接することになり、前記リフトピン２２の暴走に起因する圧力計の損傷状況の発生を防止でき、かつ前記薄膜１３と前記仕切板２１との間に設けられている前記液体５は、前記袋体４で保護できるので、漏洩による誤差の生成を免れる。
【００１５】
前記袋体４内の前記液体５の密度は、要測定の圧力源に基づいて、適宜な密度変更を行うことにより、各種類の製品使用に適するようにする。
【００１６】
図４に示すように、別の実施の装置において、前記薄膜１３と前記仕切板２１との間の前記袋体４及びその袋内の前記液体５を、一定の密度を有する前記固体状体６（例えば天然ゴム）に取り替え、液態装着と同じように操作すればよく、しかも、液態装着と同じような漏洩の欠点が解消され、かつ便利に装着する付加的な価値を有するようになる。
【産業上の利用可能性】
【００１７】
以上、述べたとおり、本考案の圧力計構造は、主に、袋体を利用して低圧液体を保護することができ、漏洩を防止する以外に、容易に装着する目的も達成でき、またリフトピンの凸縁は、上限破れの発生を防止し、使用上、故障率を大幅に低下させることができ、実用性分野に相当程度の向上を図ることができる。
【符号の説明】
【００１８】
従来技術
１０：被測定物
２０：中空シリンダベース
２０１：狭筒段
２０２：広筒段
２０３：高液圧空間
２０４：区分空間
２０５：低液圧空間
３０：ピストンユニット
３０１：ピストン
３０２：推進棒
３０２１：液推進端
３０２２：プランジャ端
４０：表示ユニット
本考案
１：中空ハウジング
１１：弓状枠体
１２：支持枠
１３：薄膜
２：上向き送出装置
２１：仕切板
２２：リフトピン
２２１：凸縁
２３：ねじスタッド
２３１：密封リング
３：表示ユニット
４：袋体
５：液体
６：固体状体
【図１】
0003200465.tif 000003
【図２】
0003200465.tif 000004
【図３】
0003200465.tif 000005
【図４】
0003200465.tif 000006
【図５】
0003200465.tif 000007